(57)【要約】【課題】光ワイヤレス信号の受光可能範囲をより拡大することが可能なリモコン受信器およびスイッチ装置を得る。【解決手段】受光レンズ１５を介して光ワイヤレス信号を受信する受光素子１３ｃを備えるリモコン受信器において、受光レンズ１５の表面１５ａに、光を受光素子１３ｃ側へ導光する第１のプリズム１６を突設した。【選択図】図４
2008053948.tif 000002
【特許請求の範囲】
【請求項１】
受光レンズを介して光信号を受信する受光素子を備えるリモコン受信器において、
受光レンズの表面に、光を受光素子側へ導光する第１のプリズムを突設したことを特徴とするリモコン受信器。
【請求項２】
前記第１のプリズムは受光素子の正面方向軸に対する略全周方向からの光を受光素子側へ導光する形状であることを特徴とする請求項１に記載のリモコン受信器。
【請求項３】
前記第１のプリズムは受光素子の正面方向軸を含む平面の両側からの光を受光素子側へ導光する形状であることを特徴とする請求項１に記載のリモコン受信器。
【請求項４】
前記第１のプリズムの表面は、相互に対向する少なくとも一組の平面を含むことを特徴とする請求項３に記載のリモコン受信器。
【請求項５】
前記第１のプリズムの突端側に、平坦面を形成したことを特徴とする請求項１〜４のうちいずれか一つに記載のリモコン受信器。
【請求項６】
前記第１のプリズムの突端側に、レンズ面を形成したことを特徴とする請求項１〜４のうちいずれか一つに記載のリモコン受信器。
【請求項７】
前記第１のプリズムは、受光レンズ上に複数のプリズムセグメントを積み重ねた形状であることを特徴とする請求項１〜６のうちいずれか一つに記載のリモコン受信器。
【請求項８】
受光レンズの表面に、第１のプリズムに隣接して、光を受光素子側へ導光する第２のプリズムを突設したことを特徴とする請求項１〜７のうちいずれか一つに記載のリモコン受信器。
【請求項９】
受光レンズの裏面に、光を受光素子側へ導光する第３のプリズムを形成したことを特徴とする請求項１〜８のうちいずれか一つに記載のリモコン受信器。
【請求項１０】
前記受光レンズが、複数のレンズセグメントを有することを特徴とする請求項１〜９のうちいずれか一つに記載のリモコン受信器。
【請求項１１】
前記複数のレンズセグメントのうち少なくとも一つの表面が非球面形状であることを特徴とする請求項１０に記載のリモコン受信器。
【請求項１２】
受光レンズを介して光信号を受信する受光素子を備えるリモコン受信器において、
受光レンズの基部に、光を受光素子側へ導光する第４のプリズムを形成したことを特徴とするリモコン受信器。
【請求項１３】
請求項１〜１２のうちいずれか一つに記載のリモコン受信器を備えるスイッチ装置。
【発明の詳細な説明】
【技術分野】
【０００１】
本発明は、リモコン送信器からの光信号を受信するリモコン受信器、および該リモコン受信器を備えたスイッチ装置に関する。
【背景技術】
【０００２】
近年、照明器具、エアコン、オーディオ機器、扇風機、スイッチなどの電気・電子機器において、動作の指示や設定の変更のために、光リモコン装置が広く用いられている。
【０００３】
光リモコン装置は、赤外光等の光を伝送媒体とする光ワイヤレス信号（光信号）を送信するリモコン送信器と、その光ワイヤレス信号を受信するリモコン受信器とによって構成される。
【０００４】
リモコン受信器は、光ワイヤレス信号を受信して電気信号に変換するフォトトランジスタやフォトダイオードのような受光素子と、光を受光素子側へ導光する受光レンズとを備え、受光素子から出力される電気信号の内容を読み取って、光ワイヤレス信号によって伝送された情報を機器に与えるように構成される。
【０００５】
この場合、より広い範囲（受光可能範囲；視野角）から光ワイヤレス信号を受信できるように、魚眼レンズとフレネルレンズとを組み合わせて用いる構成が公知である（例えば、特許文献１、２）。
【特許文献１】特開平７−２９８３７４号公報
【特許文献２】特開２００５−３９７４５号公報
【発明の開示】
【発明が解決しようとする課題】
【０００６】
しかしながら、魚眼レンズの場合、受光可能範囲を広く確保するには、レンズの直径を大きくとる必要があるため、装置構成が大型化してしまうという問題がある上、また、表面に近い浅い入射角からの光は、レンズ面に当たる幅が狭くなって受光強度が弱くなってしまい、リモコン受信器との離間距離を長くとることができず、結局は受光可能範囲を拡大できなくなってしまうという問題もある。
【０００７】
そこで、本発明は、光ワイヤレス信号の受光可能範囲をより拡大することが可能なリモコン受信器およびスイッチ装置を得ることを目的とする。
【課題を解決するための手段】
【０００８】
請求項１の発明にあっては、受光レンズを介して光ワイヤレス信号を受信する受光素子を備えるリモコン受信器において、受光レンズの表面に、光を受光素子側へ導光する第１のプリズムを突設したことを特徴とする。
【０００９】
請求項２の発明にあっては、上記第１のプリズムは受光素子の正面方向軸に対する略全周方向からの光を受光素子側へ導光する形状であることを特徴とする。
【００１０】
請求項３の発明にあっては、上記第１のプリズムは受光素子の正面方向軸を含む平面の両側からの光を受光素子側へ導光する形状であることを特徴とする。
【００１１】
請求項４の発明にあっては、上記第１のプリズムの表面は、相互に対向する少なくとも一組の平面を含むことを特徴とする。
【００１２】
請求項５の発明にあっては、上記第１のプリズムの突端側に、平坦面を形成したことを特徴とする。
【００１３】
請求項６の発明にあっては、上記第１のプリズムの突端側に、レンズ面を形成したことを特徴とする。
【００１４】
請求項７の発明にあっては、上記第１のプリズムは、受光レンズ上に複数のプリズムセグメントを積み重ねた形状であることを特徴とする。
【００１５】
請求項８の発明にあっては、受光レンズの表面に、第１のプリズムに隣接して、光を受光素子側へ導光する第２のプリズムを突設したことを特徴とする。
【００１６】
請求項９の発明にあっては、受光レンズの裏面に、光を受光素子側へ導光する第３のプリズムを形成したことを特徴とする。
【００１７】
請求項１０の発明にあっては、上記受光レンズが、複数のレンズセグメントを有することを特徴とする。
【００１８】
請求項１１の発明にあっては、上記複数のレンズセグメントのうち少なくとも一つの表面が非球面形状であることを特徴とする。
【００１９】
請求項１２の発明にあっては、受光レンズを介して光信号を受信する受光素子を備えるリモコン受信器において、受光レンズの基部に、光を受光素子側へ導光する第４のプリズムを形成したことを特徴とする。
【００２０】
請求項１３の発明にあっては、上記リモコン受信器を備えるスイッチ装置であって、上記受光レンズの表面に、光を受光素子側へ導光する第１のプリズムを突設したことを特徴とする。
【発明の効果】
【００２１】
請求項１の発明によれば、受光レンズ上に突設された第１のプリズムによって、より広い方向からの光を受光素子に導光することができるため、受光可能範囲をより拡大することができる。
【００２２】
請求項２の発明によれば、上記受光素子の正面方向軸周りに受光可能範囲をより拡大することができる。
【００２３】
請求項３の発明によれば、受光素子の正面方向軸を含む平面の両側について受光強度（受光感度）を大きくし、受信可能範囲をより拡大することができる。
【００２４】
請求項４の発明によれば、一組の平面の対向姿勢に対応する特定の方向について受光強度を大きくすることができる。
【００２５】
請求項５の発明によれば、平坦面の法線方向、すなわち受光レンズの正面側からの受光強度を大きくすることができる。
【００２６】
請求項６の発明によれば、受光レンズの正面側における受光可能範囲をより拡大することができる。
【００２７】
請求項７の発明によれば、各プリズムセグメントに対応する複数の方向について受光強度を大きくし、受光可能範囲をより拡大することができる。
【００２８】
請求項８の発明によれば、第１および第２のプリズムのそれぞれに対応する複数の方向について受光強度を大きくし、受光可能範囲をより拡大することができる。
【００２９】
請求項９の発明によれば、第３のプリズムを設けた分、受光可能範囲をさらに拡大することができる。
【００３０】
請求項１０の発明によれば、各レンズセグメントに対応する複数の方向について受光強度を大きくし、受光可能範囲をより拡大することができる。
【００３１】
請求項１１の発明によれば、レンズセグメントを非球面形状とすることで、球面形状のレンズセグメントを複数並べて配置した場合に比べて、スペース効率良く受光レンズを形成することができる。
【００３２】
請求項１２の発明によれば、受光レンズの基部に形成した第４のプリズムによって、より広い方向からの光を受光素子に導光することができるため、受光可能範囲をより拡大することができる。
【００３３】
請求項１３の発明によれば、スイッチ装置および当該スイッチ装置に対して光ワイヤレス信号を送信する送信器を備えたユニットのレイアウトの自由度を増大することができる。
【発明を実施するための最良の形態】
【００３４】
以下、本発明の実施形態について図面を参照しながら詳細に説明する。図１は、本発明の一実施形態にかかるリモコン受信器を含むスイッチ装置およびそれを用いた照明器具システムの構成例を示す図、図２は、スイッチ装置の要部構成を示す斜視図、図３は、図２のIII-III断面図、図４は、受光機構の分解斜視図、図５は、受光素子の中心を通りかつ当該受光素子の表面に垂直な受光機構の断面における主要な光路（図６〜図９の全て）を示す模式図（平面図）、図６は、第１〜第３のプリズムを通らず受光レンズから受光素子に入射する光路を示す模式図（平面図）、図７は、第１のプリズムから受光レンズ内を経由して受光素子に入射する光路を示す模式図（平面図）、図８は、第２のプリズムから受光レンズ内を経由して受光素子に入射する光路を示す模式図（平面図）、図９は、受光レンズから第３のプリズムを経由して受光素子に入射する光路を示す模式図（平面図）である。なお、各図中、Ｘ方向は水平でありかつスイッチ装置の設置基準面（壁面等の造営面；取付枠の表面等）に沿う方向、Ｙ方向は鉛直でありかつスイッチ装置の設置基準面に沿う方向、Ｚ方向は水平でありかつスイッチ装置の設置基準面に垂直な方向を示している。すなわち、本実施形態では、ＸＹ平面が設置基準面（平面）となる。
【００３５】
照明器具システム１では、電源３と照明器具４とが配線５によって接続される回路をスイッチ装置２によって開閉することで、照明器具４の点灯および消灯を切り替えるようになっている。
【００３６】
例えば壁スイッチとして具現化されるスイッチ装置２は、揺動可能に支持されるハンドル９を備えて手指等による押圧操作によって回路の開閉を切り替えることができるとともに、リモコン受信器を内蔵しており、リモコン送信器を備えた送信装置６Ａ，６Ｂ等からの光ワイヤレス信号（光信号）に応じて回路の開閉を切り替えることができるようになっている。
【００３７】
送信装置６Ａは、タイマ（図示せず）を内蔵して、タイマ設定部６ｂによる点消灯時間の設定に応じた制御信号を送信部６ａから光ワイヤレス信号によって送信するように構成されており、かかる送信装置６Ｂを用いれば、照明器具４を、例えば予め設定された点灯時間になると自動的に点灯させ、消灯時間になると自動的に消灯させるような制御が可能となる。
【００３８】
また、送信装置６Ｂは、人検知センサ６ｃによる検知結果に応じた制御信号を送信部６ａから光ワイヤレス信号によって送信するように構成されており、かかる送信装置６Ａを用いれば、照明器具４を、例えば人がいるときには自動的に点灯させ、人がいなくなると自動的に消灯させるような制御が可能となる。
【００３９】
このように、受信装置としてのスイッチ装置２、ならびに送信装置６Ａ，６Ｂは、それぞれ別の機能を担っているため、装置毎に最適な設置位置が異なるとともに相互に離間する位置になる場合も多い。したがって、これら装置間を有線接続すると、配線の配索が煩わしくなる上、設置位置のセッティングやその変更も難しくなる。このため、本実施形態にかかる照明器具システム１では、赤外光等による光ワイヤレス信号（光信号）を用いた無線による制御システムを構築している。
【００４０】
ところが、スイッチ装置２における受光可能範囲が狭いと、スイッチ装置２や送信装置６Ａ，６Ｂの設置可能範囲（レイアウト）が結局制限されてしまうことになり、無線システムとしたことによるメリットを十分に活用できなくなってしまう。このため、本実施形態では、スイッチ装置２に、光ワイヤレス信号の受光可能範囲をより拡大するための構成を備えている。かかる構成の詳細については後述する。
【００４１】
スイッチ装置２は、図２に示すように、上下方向に長い略長方形状の取付枠７をベースとして各部品がアセンブリされたものである。取付枠７は、壁（図示せず）等の造営面や、当該造営面に埋込配設される埋込ボックス（図示せず）などに、ねじ止め等によって固定される。
【００４２】
スイッチ装置本体８は、開口部７ａに挿入された状態で取付枠７に係止されている。そして、図３にも示すように、スイッチ装置本体８の前面には揺動可能なピアノハンドル型のハンドル９が取り付けられ、さらにそのハンドル９の前面がハンドルカバー１０で覆われている。
【００４３】
そして、手指等によってハンドル９（ハンドルカバー１０）を押圧操作すると、その裏面の突起９ａがスイッチ装置本体８のタクトスイッチ１１を押圧し、このタクトスイッチが出力する信号に応じて、回路の開閉が切り替わるようになっている。また、ハンドルカバー１０はハンドル９に開閉可能に取り付けられており、これを開いた状態ではスイッチ装置本体８の前面に設けられたモード切替スイッチや調整つまみ等（いずれも図示せず）が露出して、それらを操作できるようになっている。
【００４４】
また、スイッチ装置２には、上述したように、光ワイヤレス信号（以下、単に光とも称する）を受光するための受光機構が設けられている。具体的には、図２および図３に示すように、スイッチ装置本体８の前面の幅方向（Ｘ方向）の一方側で一定の略円弧状断面で上下方向に伸びる突条状のベース部１４を備えている。このベース部１４は、ハンドル９およびハンドルカバー１０とは分離されてスイッチ装置本体８に固定されており、ハンドル９およびハンドルカバー１０が揺動した場合にもベース部１４は動かないようになっている。なお、ベース部１４の長手方向略中央位置には、矩形状の表示窓１４ａが形成されており、回路の開閉状態（照明器具４の点消灯状態）やスイッチ装置２の位置を示す表示灯を視認できるようになっている。
【００４５】
このベース部１４の一部区間は、受光素子１３ｃ（図４参照）を内蔵する受光モジュール１３へ光を導光するためのシリンドリカルレンズ状の受光レンズ１５として形成してある。よって、ベース部１４の少なくとも受光レンズ１５が形成されている区間は、透光性の合成樹脂によって構成される。光ワイヤレス信号として赤外光を用いる場合には、このベース部１４の全体を、赤外光を透過させ可視光線を殆ど透過させない材料を用いて形成するのが好適である。なお、受光レンズ１５は、非球面レンズとしてもよい。
【００４６】
受光モジュール１３は、光ワイヤレス信号（例えば赤外光）を透過する合成樹脂材料によって形成されており、図４に示すように、本体部１３ａの前面側に半球面状の集束レンズ１３ｂを備えるとともに、その内部に受光素子１３ｃを封止してある。なお、本実施形態では、スイッチ装置本体８の受光モジュール１３の前面側（受光レンズ１５側）となる部分に円筒状の筒状部１２を設け、その筒内面で光を反射させることで受光モジュール１３への集束性を高めてある。
【００４７】
そして、本実施形態では、図４に示すように、受光レンズ１５の表面１５ａ上に第１のプリズム１６および第２のプリズム１７を突設するとともに、受光レンズ１５の裏面には第３のプリズム１８を形成して、図５に示すように、受光可能範囲の拡大を図っている。
【００４８】
以下、受光レンズ１５、第１〜第３のプリズム１６，１７，１８の構成および機能について、図４〜図９を参照しながら説明する。なお、図５〜図９中には、光線を細い実線で示している。また、図５は、図６〜図９に示した光路を全て記載した図である。
【００４９】
図６は、光が第１〜第３のプリズム１６，１７，１８のいずれをも通らず、受光レンズ１５のみを透過して受光素子１３ｃに入射する光路を示している。このように、受光レンズ１５自体も光の集束機能を備えており、受光可能範囲の拡大に寄与していることは言うまでもない。
【００５０】
図７は、光が第１のプリズム１６を介して受光素子１３ｃに入射する光路を示している。図４にも示すように、第１のプリズム１６は、受光レンズ１５の表面１５ａの頂部において、略台形状の一定断面で上下方向の所定区間で延設される突条として形成されている。すなわち、第１のプリズム１６は、相互に対向する一対の傾斜面（平面）１６ｂ，１６ｂを備えるとともに、その突端側には平坦面１６ａを備えている。この第１のプリズム１６は、ＹＺ平面について面対称形状（すなわち、受光素子１３ｃの正面方向軸（Ｚ軸）を含む平面（ＹＺ平面）の両側からの光を受光素子１３ｃ側へ導光する形状）となっている。かかる構成により、受光レンズ１５の光軸（Ｚ軸）周囲の特定方向からの光を受光素子１３ｃ側へ導光することができる。
【００５１】
この第１のプリズム１６によれば、一対の傾斜面１６ｂ，１６ｂによって、ＹＺ平面の両側からＸＹ平面に対して角度の浅い範囲（Ｘ軸に比較的近い方向）からの光を屈折させて、受光素子１３ｃへ導光できるようになるとともに、平坦面１６ａによって、当該平坦面１６ａの法線方向、すなわち正面側（Ｚ方向）からの光を透過させて、受光素子１３ｃへ導光できるようになる。
【００５２】
図８は、光が第２のプリズム１７を介して受光素子１３ｃに入射する光路を示している。図４にも示すように、第２のプリズム１７は、第１のプリズム１６の上下に隣接して一対設けられており、これらはＸＺ平面について面対称形状となっており、いずれも山形断面で上下方向（Ｙ方向）に伸びる突条として形成され、相互に対向する一対の傾斜面（平面）１７ｂ，１７ｂを有し、その稜線１７ａが第１のプリズム１６から斜め後方に向けて真っ直ぐ伸びて、突条の高さが第１のプリズム１６から離間するにつれて漸減している。
【００５３】
この第２のプリズム１７によれば、一方側の傾斜面１７ｂで屈折した光は他方側の傾斜面１７ｂで反射して、受光素子１３ｃに導光されることになる。図７と図８とを比較すれば明らかとなるように、この第２のプリズム１７によれば、ＹＺ平面の両側について第１のプリズム１６による受光可能範囲よりＸＹ平面に対して角度の深い範囲（Ｘ軸からより離間した方向）からの光を導光できるようになる。
【００５４】
さらに、第２のプリズム１７の傾斜面１７ｂの法線は、斜め上方または斜め下方を指向しているため、受光可能範囲を上下方向にも拡大することが可能となる。
【００５５】
図９は、光が第３のプリズム１８を介して受光素子１３ｃに入射する光路を示している。図４にも示すように、第３のプリズム１８は、受光レンズ１５の裏面において、Ｘ方向に一定間隔を空けて形成された上下方向（Ｚ方向）に伸びる一対の凹溝として形成されている。これら第３のプリズム１８，１８はＹＺ平面について面対称形状となっており、相互に近い側の内側面１８ａはＹＺ平面に沿う平面として形成される一方、相互に遠い側の内側面１８ｂは開口側に向けて溝幅が拡大するように二段に拡げられている。
【００５６】
この第３のプリズム１８によれば、受光レンズ１５の表面１５ａを経由して内側面１８ｂに到達した光を内側面１８ｂで屈折させ、受光素子１３ｃに導光することができ、図８と図９とを比較すれば明らかとなるように、ＹＺ平面の両側について第２のプリズム１７による受光可能範囲よりＸＹ平面に対して角度の深い範囲（Ｘ軸からより離間した方向）からの光を導光できるようになる。
【００５７】
以上の本実施形態によれば、受光レンズ１５の表面１５ａ上に突設された第１のプリズム１６によって、より広い方向からの光を受光素子１３ｃに導光することができ、受光可能範囲をより拡大することができる。
【００５８】
また、上述したように、第１〜第３のプリズム１６，１７，１８は、いずれも、所定のＹＺ平面（例えば受光素子１３ｃの中心を通り受光レンズ１５の正面方向に向かう軸（Ｚ軸）を含む鉛直面）について面対称形状となっている。このように、各プリズム１６，１７，１８を面対称形状とすることで、当該対称基準面の両側について受光可能範囲を拡大することができる。また、各プリズム１６，１７，１８の形状に応じて、特定の方向からの受光強度（受光感度）を強くすることができるという利点もある。そして、本実施形態のように、各プリズム１６，１７，１８に対応する受光可能範囲を相互に補完するように設定することで、受光可能範囲の抜けを無くして、方向による受光強度のばらつきを抑制することができる。
【００５９】
また、本実施形態によれば、第１、第２のプリズム１６，１７の表面は、相互に対向する少なくとも一組の平面（傾斜面１６ｂ，１６ｂおよび傾斜面１７ｂ，１７ｂ）を含んでいる。したがって、それら傾斜面１６ｂ，１６ｂ同士の対向姿勢（傾斜角度）に対応する方向（図７参照）、および傾斜面１７ｂ，１７ｂ同士の対向姿勢（傾斜角度）に対応する方向（図８参照）について、それぞれ受光強度を大きくすることができ、それら各方向について所要の受光強度を確保できる分、受光可能範囲をより拡大することができる。
【００６０】
また、傾斜面１６ｂ，１７ｂの面積を比較的広くできる分、対応する方向について受光強度をより大きくすることができる。
【００６１】
また、本実施形態によれば、上記第１のプリズム１６の突端側に、平坦面１６ａを形成したため、当該平坦面１６ａの法線方向、すなわち正面方向（Ｚ方向）からの受光強度を大きくすることができ、その分受光可能範囲をより拡大することができる。また、尖端形状やエッジが少なくなる分、衝突等に対する強度が高くなるという利点もある。
【００６２】
また、本実施形態によれば、受光レンズ１５の表面１５ａに、第１のプリズム１６に隣接して第２のプリズム１７を突設したため、第１および第２のプリズム１６，１７のそれぞれに対応する複数の方向について受光強度を大きくして、受光可能範囲を拡大することができる。また、第１および第２のプリズム１６，１７をそれぞれ別個に形成した場合に比べて剛性および強度を高くすることができる。
【００６３】
また、本実施形態によれば、受光レンズ１５の裏面に、光を受光素子１３ｃ側へ導光する第３のプリズム１８を形成した分、受光可能範囲をさらに拡大することができる。
【００６４】
そして、本実施形態によれば、受光レンズ１５の正面側のみならず、より広い範囲、例えば側方からの信号も受信しやすくなるため、スイッチ装置２および当該スイッチ装置２に対して光ワイヤレス信号を送信する送信器を備えた送信装置６Ａ，６Ｂのレイアウト（設置位置）の自由度を増大することができる。
【００６５】
以下、本実施形態の各変形例について図面を参照しながら説明する。
【００６６】
図１０に示す変形例では、平坦面を有するベース部１４Ａ上に、凸レンズ状（球面状）の受光レンズ１５Ａが形成され、その前方側の頂点となる位置に、円錐状の第１のプリズム１６Ａが突設されている。
【００６７】
かかる変形例によれば、第１のプリズム１６Ａおよび受光レンズ１５ＡがいずれもＺ軸（受光素子１３ｃの正面方向軸）を中心とする軸対称形状（すなわち、Ｚ軸に対する略全周方向からの光を受光素子１３ｃ側へ導光する形状）であるため、当該Ｚ軸周りの略全方向（全周方向）について受光可能範囲を拡大することができる。すなわち、かかる構成によれば、受光レンズ１５の光軸（Ｚ軸）周囲の不特定方向からの光を受光素子１３ｃ側へ導光することができる。
【００６８】
また、図１１に示す変形例では、図１０の変形例の第１のプリズム１６Ａに替わって、四角錐状の第１のプリズム１６Ｂが設けられている。
【００６９】
かかる変形例によれば、第１のプリズム１６Ｂの表面に、Ｘ方向（左右方向）およびＹ方向（上下方向）についてそれぞれ相互に対向する側面（平面）１６Ｂａ，１６Ｂａが形成されるため、対をなす側面１６Ｂａ，１６Ｂａの対向姿勢（傾斜角度）に対応する各方向について受光強度を大きくし、受光可能範囲を拡大することができる。
【００７０】
また、図１２に示す変形例では、図４に示す第１のプリズム１６に替わって、突端側にレンズ面（凸曲面）１６Ｃａが形成された第１のプリズム１６Ｃが設けられている。
【００７１】
かかる変形例によれば、受光レンズ１５の正面側における受光可能範囲をより一層拡大することができる。
【００７２】
また、図１３に示す変形例では、図４に示す第１のプリズム１６に替わって、複数のプリズムセグメントを受光レンズ１５の表面１５ａから離間する方向に重ねた形状の第１のプリズム１６Ｄが設けられている。具体的には、第１のプリズム１６Ｄを、相互に対向する一対の傾斜面１６Ｄａ，１６Ｄａからなるプリズムセグメントと、その前方側（突端側）で相互に対向する一対の傾斜面１６Ｄｂ，１６Ｄｂからなるプリズムセグメントとを有し、ＹＺ平面について対称な面対称形状とし、傾斜面１６Ｄａ，１６Ｄｂとで対向姿勢（傾斜角度）を異ならせている。
【００７３】
かかる変形例によれば、各プリズムセグメントに対応する複数の方向について受光強度を大きくして、受光可能範囲を拡大することができる。
【００７４】
また、図１４に示す変形例では、図４に示す第３のプリズム１８に替わって、略四角錐台形状の一つの大きな凹部として第３のプリズム１８Ｅが形成され、図１５に示す変形例では、図１０に示す変形例の受光レンズ１５Ａの裏面に、正面視で環状かつ溝状に第３のプリズム１８Ｆが形成され、図１６に示す変形例では、図１０に示す変形例の受光レンズ１５Ａの裏面に、略円錐台形状の一つの大きな凹部として第３のプリズム１８Ｇが形成されている。これら各例では、各凹部あるいは溝部の内側面を適宜に傾斜させたり膨出させたりすることで、図４に示す第３のプリズム１８と同等の効果が得られる。
【００７５】
このように、第３のプリズムも種々に変形可能である。なお、これら変形例のように、第１のプリズムが面対称形状である場合には第３のプリズムも面対称形状とし、第１のプリズムが軸対称形状である場合には第３のプリズムも軸対称形状とするのが好適である。すなわち、第１のプリズムが正面視で矩形である場合には第３のプリズムの形状も正面視では矩形状の凹部または平行な溝として形成し、第１のプリズムが正面視で円形状である場合には第３のプリズムの形状も正面視で円形状の凹部または環状の溝として形成するのが好適である。
【００７６】
また、図１７に示す変形例では、図１１に示す変形例の受光レンズ１５Ａに替わって、二つのレンズセグメント１５Ｈ，１５Ｈからなる受光レンズが設けられている。さらに、この場合、二つのレンズセグメント１５Ｈ，１５Ｈの光軸Ｃｒ，Ｃｌと、第１のプリズム１６Ｂの光軸Ｃｍとをそれぞれ相異なる方向に設定している。
【００７７】
かかる変形例によれば、各レンズセグメント１５Ｈ，１５Ｈに対応する複数の方向について受光強度を大きくして、受光可能範囲を拡大することができる。また、レンズセグメント１５Ｈ，１５Ｈによる光の集束効果と、第１のプリズム１６Ｂによる光の集束効果とを両立することができる。すなわち、図１１の変形例に比べて、正面方向（Ｚ方向）における受光強度をより大きくすることができる。
【００７８】
また、図１８に示す変形例では、ベース部Ｉ上に、上下方向（Ｙ方向）に伸びる略シリンドリカルレンズ状の複数のレンズセグメント１５Ｉ，１５Ｉがベース部１４Ｉの幅方向に並べて配置され、その境界部上に、一定の山形断面で上下方向（Ｙ方向）に伸びる突条として形成された第１のプリズム１６Ｉが設けられ、さらに、当該第１のプリズム１６Ｉの上下両側に、図４と同形状の第２のプリズム１７，１７が形成されている。そして、この場合も、二つのレンズセグメント１５Ｉ，１５Ｉの光軸Ｃｒ，Ｃｌと、第１のプリズム１６Ｉの光軸Ｃｍとをそれぞれ相異なる角度に設定している。
【００７９】
かかる変形例によっても、各レンズセグメント１５Ｉ，１５Ｉに対応する複数の方向について受光強度を大きくして、受光可能範囲を拡大することができる。また、レンズセグメント１５Ｉ，１５Ｉによる光の集束効果と、第１のプリズム１６Ｉによる光の集束効果とを両立することができる。すなわち、この場合も、正面方向（Ｚ方向）における受光強度をより大きくすることができる。
【００８０】
また、この変形例のように複数のレンズセグメント１５Ｉ，１５Ｉを設ける場合には、受光レンズを設置できるスペースによっては、それらのうち少なくとも一方（より好適には全て）を非球面レンズ状とするのが好適となる場合がある。すなわち、この変形例のように、受光モジュール１３の中央位置（図１８では複数のレンズセグメント１５Ｉ，１５Ｉの境界部）がベース部１４Ｉ（受光レンズ）の幅方向（Ｘ方向）の中央位置と一致していない場合、長い方の幅に合わせた形状のレンズセグメントを形成すると、短い方の幅に合わせた形状のレンズセグメントは短くなるし、短い方の幅に合わせた形状のレンズセグメントを形成すると、他方側に余剰スペースが生じる。この点、レンズセグメント１５Ｉ，１５Ｉのうち少なくとも一方を非球面形状とすれば、受光モジュール１３の中央位置の両側のスペース全体に亘って効率よくレンズセグメントを形成することができる。
【００８１】
なお、複数のレンズセグメントの表面を滑らかに連続させれば、複数のレンズセグメントの境界で段差が無くなる分、見栄えが良くなるという利点がある。
【００８２】
また、図１９に示す変形例では、平板状のベース部１４Ｊ上に受光レンズの凸レンズ状のレンズ面１６Ｊａを形成するとともに、その基部に略円錐台状の第４のプリズム１６Ｊを形成している。こうすれば、レンズ面１６Ｊａによって正面側の領域においてＺ軸周りに受光可能範囲をより拡大することができる上、第４のプリズム１６Ｊの実質的な機能面となる側面（受光素子１３ｃ側に傾斜する傾斜面）によって、Ｚ軸回りのＺ軸より離れた領域について受光可能範囲をより拡大することができる。また、かかる構成によれば、魚眼レンズを用いた場合よりもより小型に形成することができて、受光機構全体として小型化を図ることができる。さらに、側面をより広く確保することができる分、当該側面に対応する方向について受光強度を大きくすることができる。
【００８３】
また、図２０に示す変形例では、平板状のベース部１４Ｋに受光レンズのシリンドリカルレンズ状のレンズ面１６Ｋａを形成するとともに、その基部に略角錐台状の第４のプリズム１６Ｋを形成している。こうすれば、レンズ面１６Ｋａによって正面側の領域においてＹＺ平面の両側に受光範囲をより拡大することができる上、第４のプリズム１６Ｋの実質的な機能面となる側面（受光素子１３ｃ側に傾斜する傾斜面）によって、ＹＺ平面より離れたＹＺ平面の表裏両側（左右両側）について受光可能範囲をより拡大することができる。また、この場合も、魚眼レンズを用いた場合よりもより小型に形成することができて、受光機構全体として小型化を図ることができる。さらに、側面をより広く確保することができる分、当該側面に対応する方向について受光強度を大きくすることができる。
【００８４】
そして、受光機構に、上記実施形態または各変形例に示した構成を採用することで、スイッチ装置２の受光可能範囲を好適に拡大することができるため、送信装置６Ａ，６Ｂおよびスイッチ装置２のレイアウトの自由度を高めることができ、それらをそれぞれより好適な位置に配置することが可能となる。
【００８５】
また、第１〜第４のプリズムを適宜に形成することで、特定の方向あるいは範囲に受光強度を大きくすることも可能となるため、送信装置６Ａ，６Ｂおよびスイッチ装置２の特定のレイアウトに対して通信性能を高めることもできる。
【００８６】
以上、本発明の好適な実施形態について説明したが、本発明は上記実施形態には限定されず、種々の変形が可能である。例えば各プリズムや、プリズムセグメント、レンズ、レンズセグメントの数、設置位置、形状等は適宜に変更可能である。また、上記実施形態（変形例）に開示した各構成要素は、適宜に組み合わせて構成することができる。
【図面の簡単な説明】
【００８７】
【図１】本発明の実施形態にかかるリモコン受信器を含むスイッチ装置およびそれを用いた照明器具システムの構成例を示す図。
【図２】本発明の一実施形態にかかるリモコン受信器を含むスイッチ装置の要部構成を示す斜視図。
【図３】図２のIII-III断面図。
【図４】本発明の一実施形態にかかるリモコン受信器に含まれる受光モジュールの分解斜視図。
【図５】本発明の一実施形態にかかるリモコン受信器に含まれる受光モジュールの主要な光路（図６〜図９の全て）を示す模式図（受光素子の中心を通りかつ当該受光素子の表面に垂直な断面およびその断面近傍での光路を示す平面図）。
【図６】本発明の一実施形態にかかるリモコン受信器に含まれる受光モジュールにおいて第１〜第３のプリズムを通らず受光レンズから受光素子に入射する光路を示す模式図（図５の光路の一部を示す平面図）。
【図７】本発明の一実施形態にかかるリモコン受信器に含まれる受光モジュールにおいて第１のプリズムから受光レンズ内を経由して受光素子に入射する光路を示す模式図（図５の光路の一部を示す平面図）。
【図８】本発明の一実施形態にかかるリモコン受信器に含まれる受光モジュールにおいて第２のプリズムから受光レンズ内を経由して受光素子に入射する光路を示す模式図（図５の光路の一部を示す平面図）。
【図９】本発明の一実施形態にかかるリモコン受信器に含まれる受光モジュールにおいて受光レンズから第３のプリズムを経由して受光素子に入射する光路を示す模式図（図５の光路の一部を示す平面図）。
【図１０】本発明の一実施形態の変形例にかかる受光レンズおよびプリズムの斜視図。
【図１１】本発明の一実施形態の別の変形例にかかる受光レンズおよびプリズムの斜視図。
【図１２】本発明の一実施形態の別の変形例にかかる受光レンズおよびプリズムの斜視図。
【図１３】本発明の一実施形態の別の変形例にかかる受光レンズおよびプリズムの斜視図。
【図１４】本発明の一実施形態の別の変形例にかかる受光レンズおよびプリズムの斜視図。
【図１５】本発明の一実施形態の別の変形例にかかる受光レンズおよびプリズムの斜視図。
【図１６】本発明の一実施形態の別の変形例にかかる受光レンズおよびプリズムの斜視図。
【図１７】本発明の一実施形態の別の変形例にかかる受光レンズおよびプリズムの斜視図。
【図１８】本発明の一実施形態の別の変形例にかかる受光レンズおよびプリズムの斜視図。
【図１９】本発明の一実施形態の別の変形例にかかる受光レンズおよびプリズムの斜視図。
【図２０】本発明の一実施形態の別の変形例にかかる受光レンズおよびプリズムの斜視図。
【符号の説明】
【００８８】
１  照明器具システム
２  スイッチ装置
７  取付枠
７ａ  開口部
１３ｃ  受光素子
１５，１５Ａ  受光レンズ
１５Ｈ，１５Ｉ  レンズセグメント
１５ａ  表面
１６，１６Ａ，１６Ｂ，１６Ｃ，１６Ｄ，１６Ｉ  第１のプリズム
１６Ｊ，１６Ｋ  第４のプリズム
１６Ｂａ  側面（平面）
１６Ｄａ，１６Ｄａ  傾斜面（プリズムセグメント）
１６Ｄｂ，１６Ｄｂ  傾斜面（プリズムセグメント）
１６Ｃａ，１６Ｊａ，１６Ｋａ  レンズ面
１６ａ  平坦面
１６ｂ，１６ｂ  傾斜面（平面）
１７  第２のプリズム
１８，１８Ｅ，１８Ｆ，１８Ｇ  第３のプリズム
【図１】
2008053948.tif 000003
【図２】
2008053948.tif 000004
【図３】
2008053948.tif 000005
【図４】
2008053948.tif 000006
【図５】
2008053948.tif 000007
【図６】
2008053948.tif 000008
【図７】
2008053948.tif 000009
【図８】
2008053948.tif 000010
【図９】
2008053948.tif 000011
【図１０】
2008053948.tif 000012
【図１１】
2008053948.tif 000013
【図１２】
2008053948.tif 000014
【図１３】
2008053948.tif 000015
【図１４】
2008053948.tif 000016
【図１５】
2008053948.tif 000017
【図１６】
2008053948.tif 000018
【図１７】
2008053948.tif 000019
【図１８】
2008053948.tif 000020
【図１９】
2008053948.tif 000021
【図２０】
2008053948.tif 000022